(57)【要約】【課題】  紙管両端縁部のエッジ部に指や手等が触れても切傷を生じることがなく、端縁部に打撃や衝撃が加わっても欠けたり、変形したりことを抑えることができ、樹脂フィルムの膨張変形に起因した樹脂フィルムの破損や破断も防止でき、さらに、押圧ロールの表面に痕跡を発生させることもないロール状巻物を提供する。【解決手段】  紙管１１の外周面に樹脂フィルム１４を巻き付けたロール状巻物において、前記紙管１１は、軸芯用原紙を螺旋状かつ層状に巻回して形成された紙製巻芯１２の両端縁部に面落部１３をそれぞれ形成するとともに、少なくとも樹脂フィルム１４の巻付け面部１５及び前記面落部１３に上質紙１６を螺旋状に巻回した紙管１１であって、前記樹脂フィルム１４は、前記面落部１３を除く巻付け面部１５に巻き取られている。【選択図】  図１
2007050973.tif 000002
【特許請求の範囲】
【請求項１】
紙管の外周面に樹脂フィルムを巻き付けたロール状巻物において、前記紙管は、軸芯用原紙を螺旋状かつ層状に巻回して形成された紙製巻芯の両端縁部に面落部をそれぞれ形成するとともに、少なくとも樹脂フィルムの巻付け面部及び前記面落部に上質紙を螺旋状に巻回した紙管であって、前記樹脂フィルムは、前記面落部を除く巻付け面部に巻き取られていることを特徴とするロール状巻物。
【請求項２】
前記面落部は、前記紙管の軸線に対する傾斜角度が３０〜６０度の範囲、紙管の軸線方向の寸法が０．３〜３ｍｍの範囲、紙管の径方向の寸法が０．３〜２ｍｍの範囲に、それぞれ形成されていることを特徴とする請求項１記載のロール状巻物。
【発明の詳細な説明】
【技術分野】
【０００１】
本発明は、ロール状巻物に関し、詳しくは、所定長さの樹脂フィルムを紙製の管体（紙管）に巻き付けたロール状巻物であって、特に、紙管に業務用ストレッチフィルムを巻き取ったロール状巻物に好適な構造に関する。
【背景技術】
【０００２】
ポリ塩化ビニル、ポリプロピレン、ポリエチレン、ポリ塩化ビニリデン等の熱可塑性樹脂からなる単層又は多層の食品包装用ストレッチフィルムが広く知られており、この内、業務用ストレッチフィルムは、通常、内径約７５ｍｍ（３インチ）、外径８５〜９０ｍｍ、長さ３００〜５００ｍｍの紙管を巻芯として巻回されて使用されている。
【０００３】
巻芯として使用される紙管は、最内層から数枚のライナー紙、原紙、ライナー紙等を積層した所定の厚み・幅を有する軸芯用原紙を所定の角度で螺旋状に連続して層状に巻き重ね、酢酸ビニル系の接着剤で軸芯用原紙同士を接着して円筒状巻芯に形成し、その巻芯の外周面全体に所定の上質紙あるいは表面紙等を螺旋状その他各種形態で貼り付けた構成としてある。
【０００４】
このような紙管に前記ストレッチフィルムのような樹脂フィルムを巻付けたロール状巻物は、一般に、まず、前述のような熱可塑性樹脂に可塑剤等の加工助剤を添加した樹脂組成物を押出機に投入し、溶融状態で口金からフィルム状に押し出し、樹脂の熱変形温度以下に冷却してから所定の厚みまで延伸することによって所定の樹脂フィルムを成形した後、この樹脂フィルムを巻取ロールに複数個並列的に嵌挿した紙管と押圧ロールとの間に導き、巻取方向に張力を掛けながら押圧ロールで樹脂フィルム及び紙管を押圧し、紙管に先に巻き取られた樹脂フィルムと次に巻き取られる樹脂フィルムとの間に介在する空気を排除しながら紙管に巻き付けることにより製造される（例えば、特許文献１参照。）。
【特許文献１】特開平８−３１０７３４号公報
【発明の開示】
【発明が解決しようとする課題】
【０００５】
樹脂フィルムの巻き付けに使用されている従来の紙管は、前述のように、数枚の紙を積層した軸芯用原紙を層状に巻き重ねて接着することにより円筒状の巻芯を形成し、この巻芯の外周面全体に所定の上質紙等を螺旋状等の形態で貼り付けて形成されており、その形状・大きさは、その使用目的や巻き付ける樹脂フィルムの種類、用途によって種々選択されるが、紙管自体の両端縁部は、紙管の軸線に対して直角に切断された状態となっている。
【０００６】
このため、紙管製造時、紙管流通時、紙管使用時、ロール状巻物取扱時等の各工程で紙管両端縁部の角（エッジ部）で、誤って指や手等に切傷を生じることがあった。しかも、これらの工程で、紙管の端縁部に誤って無用な打撃、衝撃が加わると、その個所が欠けたり、凹んだりして異物の混入の要因になったり、あるいは巻き付けられる樹脂フィルムの不良原因になったりすることがあった。
【０００７】
また、樹脂フィルムを巻付けたロール状巻物は、熱変形温度以上に長時間晒されると、樹脂フィルム内に残留する内部応力を解消する方向に樹脂フィルムが膨張変形し、巻物の両端面に凹凸が生じることがあり、その結果、膨張変形した樹脂フィルムが紙管の端面や端部に引っ掛かり、樹脂フィルムに破損や破断を発生させる要因ともなっていた。
【０００８】
さらに、このような紙管に樹脂フィルムを巻き付けてロール状巻物を製造する過程において、巻取ロールに複数個並列的に嵌挿した紙管と紙管との間に生じる僅かな隙間部や隣合部から押圧ロールの表面に不均等な力が働き、これが長時間にわたって作用すると、押圧ロールの表面に痕跡を生じさせ、ロール状巻物の製造やその品質に影響を与えることもあった。
【０００９】
そこで本発明は、紙管両端縁部のエッジ部に指や手等が触れても切傷を生じることがなく、端縁部に打撃や衝撃が加わっても欠けたり、変形したりことを抑えることができ、樹脂フィルムの膨張変形に起因した樹脂フィルムの破損や破断も防止でき、さらに、押圧ロールの表面に痕跡を発生させることもないロール状巻物を提供することを目的としている。
【課題を解決するための手段】
【００１０】
上記目的を達成するため、本発明のロール状巻物は、紙管の外周面に樹脂フィルムを巻き付けたロール状巻物において、前記紙管は、軸芯用原紙を螺旋状かつ層状に巻回して形成された紙製巻芯の両端縁部に面落部をそれぞれ形成するとともに、少なくとも樹脂フィルムの巻付け面部及び前記面落部に上質紙を螺旋状に巻回した紙管であって、前記樹脂フィルムは、前記面落部を除く巻付け面部に巻き取られていることを特徴としている。
【００１１】
さらに、本発明のロール状巻物は、前記面落部は、前記紙管の軸線に対する傾斜角度が３０〜６０度の範囲、紙管の軸線方向の寸法が０．３〜３ｍｍの範囲、紙管の径方向の寸法が０．３〜２ｍｍの範囲に、それぞれ形成されていることを特徴としている。
【発明の効果】
【００１２】
本発明のロール状巻物によれば、紙管の端縁部に面落部を形成しているので、指や手等が触れても切傷を生じることがない。また、紙管の端縁部に打撃や衝撃が加わっても、面落部により力が分散することで影響が少なく、欠けたり、変形したりして異物の混入の要因になったり、巻き付けられる樹脂フィルムの不良原因になったりすることもない。さらに、樹脂フィルムが膨張変形して巻物の両端面に凹凸が生じた場合でも、樹脂フィルムが紙管の端面や端部に引っ掛かることがなく、樹脂フィルムに破損や破断を発生させることがない。加えて、紙管に樹脂フィルムを巻き付けてロール状巻物を製造する過程において、押圧ロールの表面に痕跡を生じることがなく、ロール状巻物の製造やその品質に影響を与えることもない。
【発明を実施するための最良の形態】
【００１３】
図１は本発明のロール状巻物の一形態例を示す紙管端部の断面正面図、図２は紙管に樹脂フィルムを巻き付けたロール状巻物の斜視図である。
【００１４】
紙管１１は、軸芯用原紙を螺旋状かつ層状に巻回して形成した紙製巻芯１２の幅方向両端縁部に面落部１３を形成するとともに、樹脂フィルム１４の巻付け面部１５及び面落部１３に上質紙１６を螺旋状に巻回して形成されている。紙製巻芯１２は、最内層から数枚のライナー紙、原紙、ライナー紙等の軸芯用原紙を積層した所定の厚み・幅を有するものであって、各軸芯用原紙を所定の角度で螺旋状に連続して層状に巻き重ね、各軸芯用原紙同士を酢酸ビニル系の接着剤で接着して長尺の円筒状に形成された後、所定の長さに切断される。紙管１１の形状や大きさは、その使用目的、巻き付けられる樹脂フィルム１４の種類や用途によって種々選択されるが、例えば、業務用の食品包装用ストレッチフィルムを巻き取る紙管の場合は、内径約７５ｍｍ（３インチ）、外径８５〜９０ｍｍ、長さ３００〜５００ｍｍが一般的である。
【００１５】
前記面落部１３は、長尺円筒状に形成した紙製巻芯１２を樹脂フィルムの幅寸法に対応した所定の長さ寸法に切断するのと同時に、該切断部の外端末角部を所定形状の鉄ロール等で圧縮して面取加工することによって形成することができる。この面落部１３の形状は、紙管１１の外径や厚みに応じて設定することができるが、通常は前記紙管１１の軸線ＣＬに対する傾斜角度θが３０〜６０度の範囲、紙管１１の軸線方向の寸法Ｃ１が０．３〜３ｍｍの範囲、紙管１１の径方向の寸法Ｃ２が０．３〜２ｍｍの範囲に、それぞれ形成することが好ましい。なお、面落部１３の表面は、Ｃ面取りによる円錐状だけでなく、Ｒ面取りによる曲面であってもよく、これらを組み合わせたものであってもよい。
【００１６】
前記傾斜角度θが３０〜６０度の範囲を外れると、いずれの場合も軸線ＣＬに対して直交する方向に切断した形状に近くなるため、面落部１３を形成した効果が十分に得られなくなる。また、前記各寸法Ｃ１，Ｃ２が小さ過ぎると面落部１３が小さくなって面落部１３の効果が十分に得られなくなり、軸線方向の寸法Ｃ１を大きくし過ぎると、紙管１１の長さに対して面落部１３の長さが大きくなって樹脂フィルム１４を巻き付けるための巻付け面部１５の寸法が短くなり好ましくない。一方、径方向の寸法Ｃ２を大きくし過ぎると、面落部１３が軸線ＣＬに対して直交する方向に切断した形状に近くなり、この場合も面落部１３の効果が十分に得られなくなる。
【００１７】
樹脂フィルム１４は、例えば、ポリ塩化ビニル、ポリプロピレン、ポリエチレン、ポリ塩化ビニリデン等の熱可塑性樹脂からなる単層又は多層の食品包装用ストレッチフィルムであって、前述のような熱可塑性樹脂に可塑剤等の加工助剤を添加した組成物を押出機に投入し、溶融させて口金からフィルム状に押し出し、熱変形温度以下に冷却してから所定の厚みまで延伸されたものである。この樹脂フィルム１４は、前記面落部１３を除く円筒状外周面を有する前記巻付け面部１５に所定長さで巻き付けられる。これにより、所定長さの樹脂フィルム１４を巻き付けた巻物の両端面から前記面落部１３が所定量突出した状態となる。
【００１８】
紙管１１の外周面に樹脂フィルム１４を巻き付けたロール状巻物をこのように形成することにより、紙管１１を製造する工程、紙管１１が流通される工程、樹脂フィルム１４を紙管１１に巻き取る工程等、紙管自体を取り扱う際や、ロール状巻物を巻物収納箱に収納したり、取り出したりする際に、紙管１１の両端縁部の角（エッジ部）が指・手等に当たっても切傷を生じることがない。
【００１９】
しかも、これらの工程で、紙管１１の端縁部に打撃や衝撃が加わっても、その個所が面落部１３になっているので力が分散し、影響が少なく、欠けたり凹んだりして異物の混入の要因になることがなく、紙管１１に巻き付けられる樹脂フィルム１４の不良原因となることもない。
【００２０】
また、樹脂フィルム１４を巻付けたロール状巻物が、樹脂フィルム１４の熱変形温度以上に長時間さらされて樹脂フィルム１４内に残留する内部応力を解消する方向に樹脂フィルム１４が膨張して変形し、巻物の両端面に凹凸や波打ちが生じて幅方向両端縁部に樹脂フィルム１４の迫り出しがあっても、紙管１１の両端縁部に面落部１３が形成されるとともに、その面落部１３にも上質紙１７が施されているので、樹脂フィルム１４の迫り出しによる紙管１１の両端縁部への引っかかりが少なくなり、樹脂フィルム１４の破損や破断の発生要因となることもない。
【００２１】
加えて、複数個の前記紙管１１を巻取ロールに並列に嵌挿し、前記樹脂フィルム１４を巻き取り方向に張力を掛けながら押圧ロールで樹脂フィルム１４及び紙管１１を押圧することにより、紙管１１に先に巻き取られた樹脂フィルム１４と次に巻き取られる樹脂フィルム１４との間に介在するエアを排除しながら紙管１１に樹脂フィルム１４を順次巻き取ってロール状巻物を製造する際に、両端縁部に面落部１３を形成した紙管１１の場合は、隣接する紙管１１と紙管１１との間で生じる僅かの隙間部乃至隣合部が凹部形状になるので、その個所によって押圧ロールの表面に不均等な力が掛かり難く、押圧ロールの表面に痕跡を生じる現象等が発生せず、ロール状巻物の製造やその品質に悪影響を与えることもない。
【図面の簡単な説明】
【００２２】
【図１】本発明のロール状巻物の一形態例を示す紙管端部の断面正面図である。
【図２】紙管に樹脂フィルムを巻き付けたロール状巻物の斜視図である。
【符号の説明】
【００２３】
１１…紙管、１２…紙製巻芯、１３…面落部、１４…樹脂フィルム、１５…巻付け面部、１６…上質紙
【図１】
2007050973.tif 000003
【図２】
2007050973.tif 000004